(57)【特許請求の範囲】
【請求項１】
スクリーン幕がスクリーン固定枠にスクリーン押さえ部材を介して挟持的に保持されて成るスクリーンにおいて、
上記スクリーン固定枠に、上記スクリーン押さえ部材を取り付けるための複数の第１のボスと、上記スクリーンに係合するミラーカバーを取り付けるための第２のボスが一線上に設けられ、
上記スクリーン押さえ部材が断面コ字状に形成されて成る
ことを特徴とするスクリーン。
【請求項２】
上記スクリーン押さえ部材が、上記第２のボスを挿通させる欠除部を有して成ることを特徴とする請求項１に記載のスクリーン。
【発明の詳細な説明】
【０００１】
【発明の属する技術分野】
本発明は、例えば背面投写型液晶プロジェクタ等に用いられる透過型スクリーン等のスクリーンに係わる。
【０００２】
【従来の技術】
図７Ａは従来のスクリーンを備えた背面投写型液晶プロジェクタの斜視図を、図７Ｂはその内部の構成を表す概略断面図をそれぞれ示す。
この背面投写型液晶プロジェクタ４０は、キャビネット４１内に、光源からの光を液晶セルに透過させることにより画像を表示することができる投写型液晶表示装置７１を配設し、投写型液晶表示装置７１から投射レンズを通して投射された画像光を反射するミラー７２で反射させてキャビネット前面のスクリーン５０上に拡大投写するように形成される。スクリーン５０は、スクリーン幕５３をスクリーン固定枠５１に保持して構成され、このスクリーン固定枠５１がミラー７２を保護するミラーカバー、この場合、外部匡体であるキャビネットを兼ねた構成のミラーカバー５４に一体化されている。
【０００３】
このスクリーン５０の要部の拡大断面図を図８に示す。
スクリーン５０は、フレネルレンズ５３Ｆ、レンチキュラースクリーン５３Ｌ、コントラストスクリーン５３Ｃの３枚のスクリーン幕５３と、スクリーン固定枠５１と、スクリーン幕５３をスクリーン固定枠５１に挟持的に保持するスクリーン押さえ部材であるスクリーンホルダー５２とから成る。
【０００４】
スクリーン固定枠５１は、枠状の前面板部５１ａとその外周縁より後方に延長する外側板部５１ｂを有して形成され、前面板部５１ａの内面に、これより一体にスクリーンホルダー５２を固定するための第１のボス６１が突出して設けられると共に、その外側の位置にスクリーン固定枠５１をミラーカバー５４に固着するための第２のボス６２が突出して設けられる。第２のボス６２は第１のボス６１よりも長く形成されている。
一方、スクリーンホルダー５２は、スクリーン固定枠５１の辺に沿って長尺に形成され、その断面形状が逆Ｕ字形状の一端を外方に直角に折り曲げた形状を成している。
【０００５】
そして、フレネルレンズ５３Ｆ、レンチキュラースクリーン５３Ｌ、コントラストスクリーン５３Ｃの３枚から成るスクリーン幕５３は、所定の張り具合になった状態で、共にスクリーン固定枠５１の前面板部５１ａの内面と、スクリーン固定枠５３から突出した第１のボス６１にネジ５５で固定されたスクリーンホルダー５２との間に挟まれるようにして一体に保持される。このとき、スクリーンホルダー５２の折り曲げられた先端の面５２ａでスクリーン幕５３を押さえるようにしている。
さらに、ミラーカバー５４が、ネジ挿通孔５６を介して、ネジ５５によってスクリーン固定枠５１の第１のボス６１の位置より外側の位置から突出した第２のボス６２にネジ止めされて、スクリーン５０がキャビネットの前面に取り付けられる。
【０００６】
【発明が解決しようとする課題】
スクリーン固定枠５１は、通常黒色系の色で形成されるため、スクリーン幕５３から成る画面に対して強調されやすい。
従って、スクリーン固定枠５１の幅Ｗ0 が大きいと、視覚効果によって画面が小さいように見える。
【０００７】
しかし、従来のスクリーン固定枠５１は、並列する第１のボス６１と第２のボス６２を有しているため、その幅Ｗ0 を小さくすることに限界があった。
【０００８】
上述した問題の解決のために、本発明においては、スクリーン固定枠の幅を小さくすることにより、画面が大きく見え、かつスクリーン押さえ部材の強度を確保できるスクリーンを提供するものである。
【０００９】
【課題を解決するための手段】
本発明のスクリーンは、スクリーン幕がスクリーン固定枠にスクリーン押さえ部材を介して挟持的に保持されて成り、スクリーン固定枠にスクリーン押さえ部材を取り付けるための複数の第１のボスと、スクリーンに係合するミラーカバーを取り付けるための第２のボスが一線上に設けられ、スクリーン押さえ部材が断面コ字状に形成されて成るものである。
【００１０】
上述の本発明の構成によれば、複数の第１のボスと第２のボスとを一線上に設けることにより、スクリーン固定枠の幅を小さくすることができる。
また、スクリーン押さえ部材を断面コ字状にすることにより、スクリーンを押さえるのに充分な押さえしろの長さを得ることができると同時に、押さえ部材の強度を充分確保することができる。
【００１１】
【発明の実施の形態】
本発明は、スクリーン膜がスクリーン固定枠にスクリーン押さえ部材を介して挟持的に保持されて成るスクリーンにおいて、スクリーン固定枠に、スクリーン押さえ部材を取り付けるための複数の第１のボスと、スクリーンに係合するミラーカバーを取り付けるための第２のボスが一線上に設けられ、スクリーン押さえ部材が断面コ字状に形成されて成るスクリーンである。
【００１２】
また本発明は、上記スクリーンにおいて、スクリーン押さえ部材が、第２のボスを挿通させる欠除部を有して成る構成とする。
【００１３】
以下、図面を参照して、本発明のスクリーンの一実施の形態を説明する。
図１Ａは本発明のスクリーンを備えた背面投写型液晶プロジェクタの斜視図を、図１Ｂはその内部の構成を表す概略断面図をそれぞれ示す。
この背面投写型液晶プロジェクタ１０は、キャビネット９内に光源からの光を液晶セルに透過させることにより画像を表示することができる投写型液晶表示装置２１を配設し、投写型液晶表示装置２１から投写レンズを通して投射された画像光を反射するミラー２２で反射させてキャビネット前面の本発明に係るスクリーン１上に拡大投写するように構成される。スクリーン１は、後述するようにスクリーン幕４をスクリーン固定枠２にスクリーン押さえ部材であるスクリーンホルダー３を介して保持して構成される。このスクリーン固定枠２がミラー２２を保護するミラーカバー、この場合外部匡体であるキャビネット９を兼ねた構成とされたミラーカバー５に一体化されている。
【００１４】
尚、この図１においては、ミラーカバー５がスクリーン固定枠２以外の部分全体を覆っている構成としたが、スクリーン幕４より下に位置する投写型液晶表示装置２１周辺の匡体をミラーカバー５と別体に構成しても良い。
また、必要に応じて、ミラー２２の前面に埃よけを付加する構成としても良い。
【００１５】
このスクリーン１の背面から見た全体図を図２に、その一部の拡大図を図３に、そのＡ−Ａ線上の断面及びＢ−Ｂ線上の断面の拡大図を図４及び図５にそれぞれ示す。ただし、図４及び図５はスクリーン１がミラーカバー５に取り付けられた状態の断面図である。
スクリーン１は、フレネルレンズ４Ｆ、レンチキュラースクリーン４Ｌ、コントラストスクリーン４Ｃの３枚のスクリーン幕４と、スクリーン固定枠２と、スクリーン幕４をスクリーン固定枠２に挟持的に保持するスクリーンホルダー３とから成る。
【００１６】
スクリーン固定枠２は、枠状の前面板部２ａとその外周縁より後方に延長する外側板部２ｂとを有して形成され、前面板部２ａの内面に、これより一体にスクリーンホルダー３を固定するための上端に雌ネジが切られた第１のボス１１と、スクリーン固定枠２をミラーカバー５に固着するために上端に雌ネジが切られた第２のボス１２がそれぞれ突出して設けられる。特に、図２に示すように、第１のボス１１と第２のボス１２とはスクリーン固定枠２の辺に沿った一線上に形成される。第１のボス１１はスクリーン固定枠２の四辺にそれぞれ複数設けられ、第２のボス１２は、図示の場合には上辺と左右の辺にそれぞれ設けられている。第２のボス１２は、第１のボス１１に比べて充分長く形成される（図４及び図５参照）。
【００１７】
さらに、ミラーカバー５には、図５に示すように、そのスクリーン固定枠２側の端部にネジ挿通孔７が設けられて、このネジ挿通孔７を介して、スクリーン固定枠２の第２のボス１２にネジ６により止められている。
【００１８】
スクリーンホルダー３は、図２に示すように、スクリーン固定枠２に対して複数に分割して長尺に形成される。
スクリーンホルダー３は、図３〜図６に示すように、その断面がコ字状をなし、コ字状の上折曲板部３ｂが下折曲板部３ａより長くなるように形成され、この下折曲板部３ａの面でスクリーン幕４を押さえるように構成される。上折曲板部３ｂには、その端縁側において、第１のボス１１に対応する位置にネジ挿通孔１４が形成され、第２のボス１２に対応する位置に第２のボス１２が挿通し得る欠除部１３が形成される。
【００１９】
ここで、第１のボス１１及び第２のボス１２とは、スクリーン固定枠２の一線上に形成されるため、図３及び図６に示すように、スクリーンホルダー３において、第１のボス１１にネジ止めをするためのネジ挿通孔１４と、第２のボス１２を通す欠除部１３とは一線上に形成される。
このスクリーンホルダー３は、好ましくは金属等により構成し、曲げに対しての強度を高くする。
【００２０】
そして、このスクリーン１においては、スクリーン固定枠２の裏面、即ち前面板部２ａの内面にスクリーン幕４を載置した後、上方よりスクリーンホルダー３をその下折曲板部３ａの面がスクリーン幕４に接するように配し、図４に示すようにスクリーンホルダー３をスクリーン固定枠２の第１のボス１１にネジ６により固定することによって、スクリーン幕４をスクリーン固定枠２とスクリーンホルダー３の間で挟持的に保持するように成される。
このとき、第２のボス１２は、スクリーンホルダー３の欠除部１３を挿通して突出させる。
スクリーンホルダー３は、スクリーン固定枠２の裏面にスクリーン幕４を挟んで、例えば図２に示すように縦横所定の数で配置される。
【００２１】
さらに、このスクリーン１は、図５に示すように、そのスクリーン固定枠２の第２のボス１２をミラーカバー５に突き当て、ミラーカバー５のネジ挿通孔７を介してネジ６によりミラーカバー５と第２のボス１２とをネジ止めすることによって、キャビネット９の前面に一体に取り付けられる。
【００２２】
上述のスクリーン１によれば、第１のボス１１と第２のボス１２とを一線上に形成することにより、スクリーン固定枠２の幅Ｗ1 を小さくすることができる。
従って、スクリーン１を見たとき、スクリーン固定枠２が目立たなくなるため、画面が大きく見えるようになる。
【００２３】
また、スクリーンホルダー３を、断面がコ字状に形成することにより、図６に示すように、第２のボス用欠除部１３とスクリーンホルダー３の折り曲げ位置との間の距離ｄ1 がある程度確保されるため、この位置におけるスクリーンホルダー３の曲げに対する強度を充分に確保することができる。
【００２４】
因みに、図９に示すように、第１のボス３３と第２のボス（図示せず）を一線上に配列したスクリーン固定枠３１を用い、スクリーンホルダー３２として、従来と類似の板材を２度直角に折り返し、その下側折り曲げ板部３２ａをスクリーン幕４の押さえとし、上側折曲板部３２ｂ、ネジ挿通孔１４及び欠除部１３を設けた断面階段状のスクリーンホルダー３２を用いてスクリーン３０を構成することも考えられる。
【００２５】
この場合も、スクリーン固定枠３１の幅Ｗ1 を、図６に示したスクリーン５０のスクリーン固定枠５１の幅Ｗ0 より小さく（Ｗ1 ＜Ｗ0 ）することができ、画面が大きく見えるようにすることができる。
【００２６】
しかしながら、このスクリーン３０の構成では、図１０にスクリーンホルダー３２の形状を示すように、スクリーンホルダー３２に第２のボスを通す第２のボス用の欠除部１３と、スクリーンホルダー３２の折り曲げ位置との間の距離ｄ0 が短く、この欠除部１３付近における、スクリーンホルダー３２の曲げに対する強度を充分に確保することができない。
【００２７】
これに対し、本実施の形態では、上述したようにスクリーン固定枠２の幅Ｗ1 を小さくできると同時に、スクリーンホルダー３の強度を確保できる。
【００２８】
上述の実施の形態においては、スクリーン１を、図１Ｂに示す内部構成とした液晶プロジェクタ１０に適用したが、その他の構成のプロジェクタに適用することもできる。
例えば、投写型液晶表示装置２１の代わりにブラウン管による投写型表示装置を用いた構成の背面投写型プロジェクタ、或いは反射ミラーをスクリーン幕の下にも配置する等複数の反射ミラーを配置して光路を長くした構成の背面投写型プロジェクタ等についても、同様に本発明のスクリーンを適用することができる。
【００２９】
本発明のスクリーンは、上述の例に限定されるものではなく、本発明の要旨を逸脱しない範囲でその他様々な構成が取り得る。
【００３０】
【発明の効果】
上述の本発明によるスクリーンによれば、複数の第１のボスと第２のボスを一線上に形成することにより、スクリーン固定枠の幅を小さくすることができる。
従って、スクリーンを見たとき、スクリーン固定枠が目立たなくなるため、画面が大きく見えるようになる。
【００３１】
また、スクリーン押さえ部材の折り曲げ部と第２のボスを挿通させる欠除部との距離がある程度確保されるので、スクリーン押さえ部材の強度も確保することができる。
【図面の簡単な説明】
【図１】本発明のスクリーンを備えた液晶プロジェクタの概略構成図である。
Ａ  液晶プロジェクタの正面図である。
Ｂ  液晶プロジェクタの内部の構成を示す概略断面図である。
【図２】本発明のスクリーンの一実施の形態を示す裏面から見た構成図である。
【図３】図２のスクリーンの一部の拡大図である。
【図４】図２のスクリーンのＡ−Ａ線上の拡大断面図である。
【図５】図２のスクリーンのＢ−Ｂ線上の拡大断面図である。
【図６】図２のスクリーンのスクリーンホルダーの形状を示す斜視図である。
【図７】従来のスクリーンを備えた液晶プロジェクタの一例の概略構成図である。
Ａ  液晶プロジェクタの正面図である。
Ｂ  液晶プロジェクタの内部の構成を示す概略断面図である。
【図８】従来のスクリーンの要部の拡大断面図である。
【図９】比較例のスクリーンの要部の拡大断面図である。
【図１０】図９のスクリーンに用いるスクリーンホルダーの形状を示す斜視図である。
【符号の説明】
１  スクリーン、２  スクリーン固定枠、３  スクリーンホルダー、４  スクリーン幕、４Ｃ  コントラストスクリーン、４Ｌ  レンチキュラースクリーン、４Ｆ  フレネルレンズ、５  ミラーカバー、６  ネジ、７，１４  ネジ挿通孔、９  キャビネット、１０  液晶プロジェクタ、１１  第１のボス、１２  第２のボス、１３  （第２のボス用の）欠除部、２１  投写型液晶表示装置、２２  ミラー、３０，５０  スクリーン、３１，５１  スクリーン固定枠、３２，５２  スクリーンホルダー、３３，６１  第１のボス、４０  液晶プロジェクタ、４１キャビネット、５３  スクリーン幕、５３Ｃ  コントラストスクリーン、５３Ｌ  レンチキュラースクリーン、５３Ｆ  フレネルレンズ、５４  ミラーカバー、５５  ネジ、５６  ネジ挿通孔、６２  第２のボス、７１  投写型液晶表示装置、７２  ミラー、Ｗ0 ，Ｗ1   スクリーン固定枠の幅
【図１】
0003675118.tif 000002
【図２】
0003675118.tif 000003
【図３】
0003675118.tif 000004
【図４】
0003675118.tif 000005
【図５】
0003675118.tif 000006
【図６】
0003675118.tif 000007
【図７】
0003675118.tif 000008
【図８】
0003675118.tif 000009
【図９】
0003675118.tif 000010
【図１０】
0003675118.tif 000011